(57)【要約】【課題】動画を再生しながらその動画の中の任意の領域を拡大表示する際に、拡大表示画像の表示状態の視認性ならびに操作性を向上できるカメラ装置および画像表示方法を提供する。【解決手段】この発明のカメラ装置は、記録媒体から出力され、圧縮状態の再生ストリーミング信号をメモリ部内に規定されるマップ上に転送し、転送された再生ストリーミング信号をデコーダでデコードしたのち、画像処理部でＹＵＶ信号に変換して、マップ上にＹＵＶ信号として転送し、ＹＵＶ信号から、画像処理部により拡大あるいは縮小された画像を生成してマップ上に格納し、（拡大）再生要求に応じて、マップ上に用意された拡大あるいは縮小された画像を重ね合わせ、出力位置を求めて、重ね合わせられた画像を出力するとともに、所定時間の間、入力指示がない場合には、縮小された画像の透過率を次第に増大させて消去することができる。【選択図】  図５
2006303896.tif 000002
【特許請求の範囲】
【請求項１】
画像を保持する記録部と、
前記記録部に保持されている画像を表示する表示部と、
前記表示部に表示された画像に、その画像内の倍率変更部分を示す識別情報を重ね合わせる表示処理部と、
前記表示部に表示された画像に表示される前記倍率変更部分に対応する拡大画像を提供可能な画像拡大処理部と、
前記表示部に表示された画像に表示される前記倍率変更部分と前記表示部に表示された画像の相対位置の変更が指示された場合に、前記倍率変更部分に対応する拡大画像を前記変更が指示された相対位置に合わせて変更する表示制御部と、
前記表示制御部への相対位置の変更または前記拡大処理部への拡大倍率の変更が入力されてから所定時間経過後に、前記識別情報および倍率変更部分の画像の透過率を変化する重ね合わせ画像制御部と、
を有することを特徴とするカメラ装置。
【請求項２】
前記重ね合わせ画像制御部は、前記表示制御部への相対位置の変更または前記拡大処理部への拡大倍率の変更が入力されてから所定時間経過後に、前記識別情報および倍率変更部分の画像の透過率を高めることを特徴とする請求項１記載のカメラ装置。
【請求項３】
前記重ね合わせ画像制御部は、前記表示制御部への相対位置の変更または前記拡大処理部への拡大倍率の変更が入力されてから所定時間経過後に、前記識別情報および倍率変更部分の画像の透過率を高め、非表示（完全透過）とすることを特徴とする請求項２記載のカメラ装置。
【請求項４】
前記重ね合わせ画像制御部は、前記識別情報により規定され、透過率が処理割合で変化された複数の縮小画像を、前記表示部に順に転送することを特徴とする請求項２または３記載のカメラ装置。
【請求項５】
前記重ね合わせ画像制御部は、前記拡大画像表示部への拡大画像の表示が指示されていない状態で、前記拡大処理部への入力があった場合に、前記識別情報および倍率変更部分の画像を、前記拡大画像表示部により表示される拡大画像に、重ね合わせることを特徴とする請求項１記載のカメラ装置。
【請求項６】
記録すべき情報を取り込むレンズと、
このレンズにより取り込まれた情報に対応する画像を生成する画像信号生成部と、
前記画像を保持する記録部と、
前記記録部に保持されている画像を表示する表示部と、
前記表示部に表示された画像に、その画像内の倍率変更部分を示す識別情報を重ね合わせる表示処理部と、
前記表示部に表示された画像に表示される前記倍率変更部分に対応する画像の拡大画像を提供可能な指示を入力可能な入力装置と、
前記入力装置により前記表示部に表示された画像に表示される前記倍率変更部分に対応する画像の拡大画像の倍率の変更が入力された場合に、その入力された倍率の画像を提供可能な画像拡大処理部と、
前記表示部に表示された画像に表示される前記倍率変更部分と前記表示部に表示された画像の相対位置の変更を指示する位置入力装置と、
前記位置入力装置により前記表示部に表示された画像に表示される前記倍率変更部分と前記表示部に表示された画像の相対位置の変更が指示された場合に、前記倍率変更部分に対応する画像の拡大画像を前記変更が指示された相対位置に合わせて変更する表示制御部と、
前記表示制御部への相対位置の変更または前記拡大処理部への拡大倍率の変更が入力されてから所定時間経過後に、前記識別情報および倍率変更部分の画像の透過率を実質的に非表示となるレベルまで、所定時間にわたって変化する重ね合わせ画像制御部と、
を有することを特徴とするカメラ装置。
【請求項７】
画像保持部から出力され、圧縮状態の再生ストリーミング信号をマップ上に転送し、
転送された再生ストリーミング信号をデコードし、ＹＵＶ信号に変換して、マップ上にＹＵＶ信号として転送し、
ＹＵＶ信号から、拡大あるいは縮小された画像ならびに透過率の異なる縮小された画像を生成してマップ上に格納し、
再生要求に応じて、マップ上に用意された拡大あるいは縮小された画像を重ね合わせ、
出力位置を求めて、重ね合わせられた画像を出力し、
重ね合わせられた画像の位置の変更あるいは倍率の変更が指示されてから所定時間経過後に、透過率の異なる縮小された画像を、所定時間にわたって順に出力する    
ことを特徴とする画像表示方法。
【発明の詳細な説明】
【技術分野】
【０００１】
この発明は、カメラ装置において撮像された静止画や動画を拡大再生する際に、拡大前の画像の対応部分を縮小ガイド画像として表示するカメラ装置ならびに画像表示方法に関する。
【背景技術】
【０００２】
カメラ装置は、半導体メモリ（メモリカード）やハードディスク装置等の記録媒体に、静止画や動画を記録可能である。
【０００３】
撮像済み画像は、ユーザによるカメラ装置の操作により、例えばカメラ装置に一体的に設けられている液晶表示部や、ビデオ信号を表示可能な表示装置すなわちパーソナルコンピュータで利用される表示装置あるいは一般的なテレビ受像機等に表示（再生）される。
【０００４】
今日、カメラ装置や画面の大きなテレビ受像機（モニタ装置）の普及に伴い、撮像済み画像の部分拡大再生等も可能であることが、ユーザから広く要求されている。
【０００５】
なお、特許文献１には、デジタルスチルカメラにおいて、静止画を、拡大表示する際の表示制御方法が開示されている。
【特許文献１】特開２００４−４８２２９号公報
【発明の開示】
【発明が解決しようとする課題】
【０００６】
しかしながら、特許文献１には、静止画像を拡大表示することおよびその取り扱い方法が示されているのみで、動画を再生しながらその動画の中の任意の領域を、拡大表示することは、なんら示されていない。
【０００７】
また、全画面に画像を拡大表示した場合には、現在拡大表示されている画像が元の画像のどの領域であるか、あるいは拡大表示されている画像の倍率がわからないという問題がある。
【０００８】
なお、特許文献１には、拡大表示した画像に重ねて、縮小した全体の画像（縮小ガイド画像）を表示することが示唆されている。反面、特許文献１の例では、縮小ガイド画像が常に拡大表示されている画像に重ねて表示されることから、拡大表示された画像の一部が隠れる（見えない）という新たな問題を発生する。
【０００９】
本発明の目的は、動画を再生しながらその動画の中の任意の領域を拡大表示する際に、拡大表示画像の表示状態の視認性ならびに操作性を向上できるカメラ装置および画像表示方法を提供することである。
【課題を解決するための手段】
【００１０】
この発明は、上記問題点に基づきなされたもので、画像を保持する記録部と、前記記録部に保持されている画像を表示する表示部と、前記表示部に表示された画像に、その画像内の倍率変更部分を示す識別情報を重ね合わせる表示処理部と、前記表示部に表示された画像に表示される前記倍率変更部分に対応する拡大画像を提供可能な画像拡大処理部と、前記表示部に表示された画像に表示される前記倍率変更部分と前記表示部に表示された画像の相対位置の変更が指示された場合に、前記倍率変更部分に対応する拡大画像を前記変更が指示された相対位置に合わせて変更する表示制御部と、前記表示制御部への相対位置の変更または前記拡大処理部への拡大倍率の変更が入力されてから所定時間経過後に、前記識別情報および倍率変更部分の画像の透過率を変化する重ね合わせ画像制御部と、を有することを特徴とするカメラ装置を提供するものである。
【発明の効果】
【００１１】
本発明によれば、拡大表示されている画像の拡大倍率を変更し、あるいは拡大表示領域の変更指示（入力）といった操作を検出した場合のみ縮小ガイド画面を表示し、操作終了後、一定時間が経過した場合には、縮小ガイド画面を消去する、あるいは画面の透過率を高めることを特徴とする。すなわち、画像の拡大表示をする際に、拡大率変更や表示領域変更という入力（ユーザ）操作に対し、縮小ガイド画像の表示を自動的に切り替えることにより、操作中においては、縮小ガイド表示により拡大率や拡大領域の確認を容易とし、拡大表示確認時には、画面全体に拡大表示する（拡大された表示画像のみを表示させる）ことで、視認性が高められる。
【００１２】
すなわち、拡大表示を注視する場合、あるいは拡大表示領域変更や倍率変更する場合のそれぞれにおいて、視認性と利便性（操作性）が向上される。
【００１３】
なお、縮小ガイド画面の表示や透過率の変更は、画像メモリへの縮小画像の転送によるシンプルな方法で達成でき、縮小ガイド画面の表示や透過率の変更のために特別な構成が要求されることがなく、コストの増大も生じない。
【発明を実施するための最良の形態】
【００１４】
以下、図面を参照して、この発明の実施の形態について詳細に説明する。
【００１５】
図１（ａ）および図１（ｂ）は、本発明が適用可能な動画および静止画ならびに音声等が記録可能なカメラ装置の概略を示す。
【００１６】
図１（ａ）は、カメラ装置（撮影装置）１を撮影レンズ側から見た状態を示す。
【００１７】
カメラ装置１は、撮像レンズ１１、フラッシュ１２、（静止画撮影用）シャッターボタン１３およびリモコン受信部１４等を有する。カメラ装置１はまた、パーソナルコンピュータや外部電源装置（充電器）等との接続に利用されるアダプタ接続部（接続端子）１５を有する。
【００１８】
図１（ｂ）は、カメラ装置１を、撮像レンズ１１と逆の側から見た状態を示す。
【００１９】
カメラ装置１はまた、主電源スイッチを兼ねるフレーム２１に一体に組み込まれた液晶モニタ（ＬＣＤパネル）２２およびスピーカ２３を有する。電子カメラ装置１はさらに、フレーム２１が閉じられる（電子カメラ装置本体の所定の位置に収容される）位置でオフされる所定の位置に、主電源スイッチ２４を有する。
【００２０】
また、カメラ装置１の所定の位置には、動画の記録（録画）の開始および停止（終了）の指示（制御コマンド）を入力可能な録画ボタン２５、動作モードやさまざまな条件の入力および決定の指示を選択する指示（制御コマンド）を入力可能なジョグ（ＪＯＧ）ダイアル２６、ジョグダイアル２６により選択（ガイド）される指示を確定（実行）するための指示（制御コマンド）を入力可能な決定（ＯＫ）ボタン２７、撮像レンズ１１により取り込まれる画像の画角（撮影対象を撮像する角度）を変更するズーム動作のための制御信号を入力可能なズームバー２８、メニュー画面を表示させるための制御コマンドの入力に利用されるメニューボタン２９等が設けられている。
【００２１】
図２は、図１に概要を示したカメラ装置の制御系の一例を示す。
【００２２】
撮像レンズ１１から取り込まれた被写体像は、例えばＣＣＤセンサである撮像素子３１の結像面に結像され、アナログ信号（撮像画像データ）に変換される。被写体像は、撮像素子（ＣＣＤセンサ）３１により、光の明暗に基づいて電気信号に変換され、アナログ−デジタル（Ａ／Ｄ）変換部１０１によりデジタル信号に変換され、（カメラ）信号処理部１０２に入力される。
【００２３】
信号処理部１０２では、Ａ／Ｄ変換部１０１によりデジタル信号に変換された撮像画像データに、例えばガンマ補正、色信号分離、あるいはホワイトバランス調整等の処理が施される。
【００２４】
カメラ信号処理部１０２から出力された撮像画像データは、メモリコントローラ１０３を経由して画像表示処理部１０４に供給される。画像表示処理部１０４は、ビデオインタフェース（Video I/F）／ＯＳＤ（On Screen Display）処理部１０５およびビデオデコーダ（Video Decoder）１０６等を含み、表示出力のための画像信号すなわちビデオ信号を生成する。ビデオインタフェースおよびＯＳＤ処理部１０５は、図３（ａ）および図３（ｃ）を用いて後段に説明するが、ＬＣＤ２２に表示されている画像の任意の部分を拡大した画像を、例えば表示枠もしくは子画面により表示させる場合に、表示枠もしくは子画面を表示させるために用いられる。なお、ＯＳＤ処理部１０５を介して重ね合わせられる画像は、以下に説明する画像圧縮・伸長処理部１０８およびメモリコントローラ１０３と以下に説明するバッファメモリ１１０またはメインメモリ１０９との間のデータの転送により拡大あるいは縮小される。
【００２５】
ビデオデコーダ１０６の出力は、液晶パネル駆動回路（LCD Driver）１０７に入力され、液晶パネル駆動回路１０７により、フレーム２１にマウントされているＬＣＤパネル（以下単にＬＣＤと呼称する）２２（図１（ｂ）参照）に、表示される。
【００２６】
カメラ信号処理部１０２から出力された撮像画像データは、記録時においては、圧縮／伸長部１０８で圧縮され、主制御装置（ＣＰＵ）１１１の制御の下で、記録メディアコントローラ１２１を経由して、主記録媒体、例えばハードディスク装置（以下ＨＤＤと略称する）１２２、あるいは付随する取り出し可能な記録媒体、例えば不揮発性メモリであるメモリカード１２３に記録される。なお、圧縮／伸長部１０８においては、静止画は、例えばＪＰＥＧ規格等の、動画（非静止画）は、ＭＰＥＧ規格等の、周知の圧縮方式により圧縮される。また、メモリカード１２３は、例えばＳＤカード（登録商標）や、mini−ＳＤ（登録商標）と呼ばれる半導体メモリが利用可能である。もちろん、ＨＤＤ１２２に換えて、例えば光ディスクが用いられてもよいことはいうまでもない。
【００２７】
ＨＤＤ１２２またはメモリカード１２３に既に記録されている画像を再生する際には、ＨＤＤ１２２あるいはメモリカード１２３から読み出された画像が圧縮／伸長部１０８において伸長され、メモリコントローラ１０３を通じて、上述の画像表示処理部１０４に供給され、ＬＣＤ２２に表示される。
【００２８】
画像表示処理部１０４においては、図４により後段に詳述するが、メモリコントローラ１０３に接続されたメインメモリ（メモリ回路例えばＳＤＲＡＭ）１０９およびバッファ（ワーク）メモリ１１０とを用い、ＬＣＤ２２に表示させるさまざまな画像、例えば拡大表示モードにおいて拡大表示すべき画像およびその対象となる領域の縮小画像等が、生成される。また、生成された縮小画像等は、ＬＣＤ２２による表示に先立って、ＯＳＤ処理部１０５により生成される「アイコン」や、動作の表示に利用されるさまざまな「マーク」と重ね合わせられる。なお、バッファ（ワーク）メモリ１１０には、メインメモリ１０９の記録領域の一部が割り当てられてもよい。
【００２９】
メインメモリ１０９およびバッファメモリ１１０は、例えば、画像データの縮小（サムネイル画像の作成）や詳述しないが編集モードにおける編集、画像ファイルの順番の入れ替え等に利用される。
【００３０】
また、バッファメモリ１１０は、１画面分の画像データあるいは複数画面分の画像データを保存することができる。なお、バッファメモリ１１０に保存されている画像データはメモリコントローラ１０３を介して画像表示処理部１０４に入力されるので、ＬＣＤ２２において、逐次再生（モニタ）可能である（画像編集時の状態を確認できる）。
【００３１】
カメラ装置１においてはまた、編集時あるいは撮影時には、音声入出力処理部１３１に接続されたマイク１３２あるいはオーディオ入力端（Audio In）により、音声／オーディオデータを取り込むことができる。音声データは、撮影された画像データと関連付けられて、ＨＤＤ１２２またはメモリカード１２３の所定の領域に記録される。
【００３２】
記録された音声データは、映像（画像）の再生時において、撮像した画像データと同時にＨＤＤ１２２またはメモリカード１２３から読み出され、音声出力として、スピーカ１３３またはオーディオ出力端（Audio Out）に出力される。もちろん、再生時において、スピーカ１３３から出力される音声は、消音（出力レベルを「０」と）することも可能である。
【００３３】
ところで、記録媒体であるＨＤＤ１２２においては、その容量から、静止画を記録可能な画像数および動画を記録する際の記録時間（タイトル数）は、数１００〜数１０００にも及ぶ。このため、記録画像やタイトルの送りや戻しには、高速性が要求される。
【００３４】
従って、ジョグダイアル２６とＯＫボタン２７により、多くの画像やタイトルの選択やさまざまなモードの設定が、ストレスなく処理可能である（多くの画像やタイトルを連続してサーチして特定する際に、ジョグダイアル２６のような操作性の高いスイッチが有益である）。また、ジョグダイアル２６により入力される内容（ユーザによる操作）、あるいはカメラ装置１の動作状態、もしくはメニューボタン２９によるメニュー画面の表示等は、上述したＣＰＵ１１１、メモリ回路１０９、画像表示処理部１０４、ビデオインタフェースおよびＯＳＤ処理部１０５等を介して合成され、ＬＣＤ２２に表示される。
【００３５】
なお、ＯＫ（決定）ボタン２７は、ＣＰＵ１１１に、ボタン２７が押された（オン／オフ信号が入力された）情報を与える。ＣＰＵ１１１は、その情報（ボタン２７）から入力されるオン／オフ信号に基づいて、ジョグダイアル２６により選択されている画像やタイトルあるいはモードを確定し、再生あるいはモードの設定等の処理を実行する。
【００３６】
ジョグダイアル２６は、ＣＰＵ（主制御装置）１１１に、その回転角と回転スピードの情報を与える。ＣＰＵ１１１は、それらの情報から（次の）画像の表示スピード等を制御することが可能である。
【００３７】
また、ＯＫ（決定）ボタン２７は、ジョグダイアル２６の回転中心に同軸（同心）状に位置される。なお、ＯＫ（決定）ボタン２７は、概ね中心（軸方向）に向けて力がかけられた（押された）場合は、上述のオン信号を入力可能で、円周上の円周を概ね４等分した４方向（一般に、「上下左右」と呼称される）のいずれかに力が加えられることで、例えばＬＣＤ２２に表示されている画像を、力が加えられている方向にスクロールさせる制御コマンド（指示）を入力させることができる。
【００３８】
次に本発明のカメラ装置における特徴的な構成及び画像データ処理方法を説明する。
【００３９】
例えば、図３（ａ）に示すように、画像再生中に、ＬＣＤ２２に再生対象画像（動画）の全体２２−３００が表示されている状態で（図３（ｂ）に抜き出して説明する）カメラ装置１の任意のスイッチまたはボタンに代表されるユーザ指示入力部、例えばズームバー２８による拡大表示の開始が指示されると、ＬＣＤ２２に表示される画像は、図３（ｃ）に示すような、拡大表示画面２２−３０１に切り替えられる。
【００４０】
なお、拡大表示画面２２−３０１には、縮小ガイド画面（等倍サムネイルと呼称される場合もある）２２−３０２と、現在拡大表示画面２２−３０１として拡大表示されている領域を示す拡大位置マークもしくは枠表示２２−３０３が、同時に表示される。また、拡大表示画面２２−３０１の任意の位置には、ＯＳＤ処理部１０５により、ズームバー２８の位置に基づいて規定され、主制御部１１１の制御により圧縮・伸長処理部１０８により設定された現在表示している拡大画像の拡大倍率が表示される。
【００４１】
また、拡大画像が表示されている間にＯＫボタン２７がユーザにより操作され、ユーザから「上下左右」のいずれかの方向への拡大対象領域の移動が指示（入力）された場合には、拡大位置マーク２２−３０３が、縮小表示されている画像全体表示２２−３０２内を移動される。これにより、拡大表示される領域が変化される。
【００４２】
一方、ズームバー２８が［Ｔ（拡大）］側もしくは［Ｗ（縮小）］側のいずれかの方向に移動されることで、対応する倍率が指示され、拡大画像の拡大倍率が変化される。
【００４３】
なお、縮小ガイド画像（全体）２２−３０２と拡大位置マーク２２−３０３は、例えばズームバー２８あるいはＯＫボタン２７の操作が中止されてから一定時間が経過した場合（図示しないカウンタまたはタイマにより、例えば３〜５秒が計数されることで）、消去される。また、サムネイル画像（縮小ガイド画面）が完全に消去されるまでの間は、図５により、以下に説明するように、所定時間が経過する毎に、縮小ガイド画面として表示されている画像の濃度が、次第に低下される（縮小ガイド画像の透過率が、次第に増大される）。もちろん、例えばＯＫボタン２７がオンされること等を検知して、縮小ガイド画面を消去するように、設定することも可能である。
【００４４】
図４に、図３（ａ）および図３（ｃ）を用いて説明した拡大画像再生中の画像の任意の領域を拡大表示可能とする構成と信号の流れを示す。なお、図２により既に説明した構成には同じ符号を付して、詳細な説明を省略する。また、ここでは、所定の時間内に任意の個数（枚数）の画像が連続して存在する「連写画像」についても『動画（動画像）』として表現する。もちろん、非動画すなわち静止画（スチル画像）についても同様に実施可能であることはいうまでもない。
【００４５】
既に説明したように、例えばズームバー２８により拡大表示モードの開始が指示されると、図４の［Ａ］において、ＨＤＤ１０５（あるいはメモリカード１０６）から出力されたＭＰＥＧ圧縮された再生ストリーミング信号は、ＳＤＲＡＭ（メモリ回路）１０４のマップ４０１上に転送される。すなわち、拡大表示すべき画像の画像ファイルから拡大する領域の画像データが取得される。
【００４６】
続いて、［Ｂ］および［Ｃ］において、圧縮・伸長部（ＭＰＥＧコーデック）１０８により画像データがデコードされ、ビデオ表示用のＹＵＶ信号に変換されて、メインメモリ（ＳＤＲＡＭ）１０９のマップ４０２上にＹＵＶ信号として転送される。すなわち、拡大すべき画像データが伸張され、拡大画像に対応するビデオ表示データが生成される。
【００４７】
ＹＵＶ信号は、そのまま表示される場合は、ビデオインタフェースおよびＯＳＤ処理部１０５において、ＯＳＤ（ここでは図３（ｃ）の表示２２−３０１の縮小ガイド画面２２−３０２の枠および拡大位置マーク２２−３０３の枠に対応するデータ）を付加され、ビデオデコーダ１０６により、ビデオ信号に変換され、液晶パネル駆動回路１０７を介してＬＣＤ２２に表示される。なお、外部に接続された表示装置に表示される場合、ビデオ出力端に出力される信号が利用可能である。
【００４８】
また、縮小ガイド画面の表示に用いるＹＵＶデータを生成するため、ＹＵＶ信号が画像１３１に入力される［Ｄ］。すなわち、画像全体のデータから縮小ガイド画像のための、縮小データを取得する。
【００４９】
なお、画像表示制御部１３１は、画像の拡大や縮小（縮小ガイド画面への全体画面表示用）および画像濃度（透過率）を変更するために用いるエンジンであり、高速処理が可能である。また、画質を高めるために、既存技術であるバイリニア（Bi-liner）やバイキュービック（Bi-cubic）等の補間処理やフィルタリング処理が可能である。これは、もともと静止画の拡大、縮小に用いられているものがほとんどである。
【００５０】
画像表示制御部１３１において、拡大あるいは縮小され、もしくは透過率（画像濃度）が変更された画像［Ｅ］，［Ｆ］は、それぞれ、ＳＤＲＡＭ１０９のマップ４０３と４０４に、格納される。なお、透過率が変更された複数の縮小表示用画像は、例えば前に説明した完全に縮小ガイド画面が消去されるまでの間の所定時間が経過する毎の、縮小ガイド画面として表示されている画像の濃度を次第に低下させるために、所定のステップの濃度（透過率）が与えられる。
【００５１】
すなわち、本発明における再生画像の拡大あるいは縮小表示もしくは透過率（濃度）の異なる画像は、要求のある毎に、画像データから拡大、または縮小により、予め用意し、転送要求に従って順に転送（出力）するもので、シンプルかつ低コストである。なお、近年のハード構成（ＳＤＲＡＭ）の高速さ（処理速度の低減）によれば、標準的な大きさの画像サイズであれば、リアルタイムで処理できる。また、ビデオインタフェース／ＯＳＤ処理部１０５を介してＬＣＤ２２に表示されている画像すなわち、図３（ｃ）の表示２２−３０１の子画面（縮小ガイド画面）２２−３０２の枠および拡大位置マーク２２−３０３の枠に対応するデータは、ＯＫボタン２７により「上下左右」への移動が指示（入力）されることにより、逐次移動されるとともに、拡大位置マーク２２−３０３の枠が移動される範囲に応じて拡大される元画像の領域が変化され、対応する拡大あるいは縮小された画像［Ｅ］，［Ｆ］が、順次ＳＤＲＡＭ１０９のマップ４０３と４０４に格納されることで、用意される。
【００５２】
以下、上述の工程によりＳＤＲＡＭ１０９のマップ４０３と４０４に、用意された拡大あるいは縮小された画像［Ｅ］，［Ｆ］は、ビデオインタフェースおよびＯＳＤ処理部１０５を経由して、拡大表示画面および縮小ガイド画面（全体縮小画面）とがＣＰＵ１１１にて計算された矩形領域のＯＳＤ２２−３０３と重ね合わせられて、ビデオデコーダ１０６に出力される［Ｇ］。このとき、ＯＳＤ処理部１０５により生成された倍率表示２２−３０４も、合わせてビデオデコーダ１０６に入力される。
【００５３】
従って、ＬＣＤ２２には、図３（ｃ）に示したような、すでに拡大表示されている画像２２−３０１に、縮小ガイド画面２２−３０２と、縮小ガイド画面２２−３０２内に重ね合わせられて表示されるＯＳＤ画像（枠）２２−３０２、ならびに倍率表示２２−３０４が、同時に表示される。すなわち、縮小ガイド画像２２−３０２を表示する際には、該当データを所定の表示位置のバッファ（マップ）に、予め用意した所定の画像を、順にビデオデコーダ１０６に転送することで、画像拡大表示領域２２−３０１内に縮小ガイド画像２２−３０２が表示される。なお、上述した拡大および縮小画像は、ＳＤＲＡＭ（メインメモリ）１０９とビデオデコーダ１０６との間の画像データ転送が高速であることを利用したもので、上記のように簡単な方法で、縮小ガイド画面の表示や透過率の変更のために特別な構成を必要とすることなく、容易に実現できる。
【００５４】
また、ＯＫボタン２７を介して、表示部に表示された動画像に表示される倍率変更部分と表示部に表示された動画像の相対位置の変更が指示された場合に、倍率変更部分に対応する拡大画像が、変更が指示された相対位置に合わせて変更される。すなわち、ユーザにより、任意の指示（入力信号）が入力された（ズームバーやボタンの操作があった）場合には、その入力（指示）に対応するＣＰＵ（主制御部）１１１の制御により、画像の拡大倍率が変更され、あるいは全体画像中の拡大表示される領域が変更される。
【００５５】
なお、縮小ガイド画面２２−３０２は、既に説明したように、例えばズームバー２８やＯＫボタン２７による制御信号の入力が所定時間入力されない場合に、拡大表示モードが解除されるとともに、縮小ガイド画面２２−３０２、表示枠２２−３０３および倍率表示２２−３０４が消去される。
【００５６】
このとき、完全に縮小ガイド画面が消去されるまでの間に、所定時間が経過する毎の、縮小ガイド画面として表示されている画像の濃度を次第に低下させるために所定のステップの濃度（透過率）が与えられた画像が、順にビデオデコーダ１０６に、所定時間毎に転送されることにより、透過率が高められる（濃度が薄くなる）ような、拡大画像の視認性を抑制することなく、しかも操作性も確保した画像表示（画像出力）が実現される。
【００５７】
また、上述した拡大表示モードの終了時の、透過率を次第に増大させる（濃度を次第に減少させる）画像表示は、例えば画像表示制御部１３１により予め生成された複数の縮小表示用画像がビデオデコーダ１０６へ出力される際に、例えば輝度信号が変化されることによっても達成できる（黒信号を所定割合ずつ間引く、等によっても表示できる）。
【００５８】
なお、縮小ガイド画面を消去する場合には、上述したような、縮小ガイド画面の透過率（濃度）を変化させる方法に限らず、例えば所定数の画素をブロック状に一まとめとして複数のマトリクスを定義し、マトリクスを単位として、所定の順に、あるいはランダムに消去することも可能である。また、マトリクスを帯状（１ライン（任意方向）×幅あるいは長さ）とし、長さ（幅）方向と直交する方向に、（消去する際に）時間差を与えることで、縮小ガイド画面を一方向から消去することも可能である。
【００５９】
図５は、拡大表示モードにおいて、縮小ガイド画像を任意のタイミングで消去するためのフローの一例を示す。なお、図５において、ステップＳ５１，Ｓ１５１およびＳ１５２は、縮小ガイド画面が表示されている拡大表示モードにおいて、例えば一定時間（例えば３〜５秒）の間、ユーザによる制御信号の入力がない場合、すなわち拡大表示モード中のユーザの操作の有無に基づいて、選択的に縮小ガイド画面（等倍サムネイル画像）の表示を解除する方法に関する。また、ユーザによる制御信号の入力がない場合、すなわちユーザの操作が終了した場合には、縮小ガイド画面を表示しないことで、拡大された画像そのものの確認が容易となる（視認性が向上する）。
【００６０】
主制御部（ＣＰＵ）１１１により、ユーザによる操作すなわち何らかのスイッチあるいはボタン等による制御信号の入力が監視され（Ｓ５１）、何らかの入力（指示）があることが検知されると（Ｓ５１−Ｙ）、等倍サムネイル画像（縮小ガイド画面）が表示されているか否か、すなわち拡大表示モードであるか否かが判断される（Ｓ５２）。
【００６１】
既に拡大表示モードが実行されている場合（Ｓ５２−Ｙ）、ユーザによる操作（入力）が拡大率の変更であるか、拡大領域（対象位置）の変更であるかがチェックされる（Ｓ５３）。
【００６２】
ステップＳ５３において、入力（ユーザによる指示）が拡大領域の変更である場合（Ｓ５３−Ｎ）、図４により既に説明した画像処理部において画像ファイルから読み出される画像の位置が変更される（Ｓ５７）。
【００６３】
続いて、等倍サムネイルに対応して拡大表示されるべき拡大領域枠２２−３０３（図３（ｃ）参照）の位置、すなわち画像全体に対する拡大表示部分の表示の位置が変更される（Ｓ５８）。
【００６４】
次に、拡大表示される画像の範囲（拡大画像として表示される範囲）が変更される（Ｓ５９）。
【００６５】
一方、ステップＳ５２において、ユーザの操作により等倍サムネイル画像の表示が要求された場合（Ｓ５２−Ｎ）、用意された縮小表示用のＹＵＶ画像データのうちの透過率が低い（濃度が高い）画像データがビデオデコーダに転送され（Ｓ５４）、等倍サムネイル画像が表示される（Ｓ５５）。
【００６６】
また、ステップＳ５２−ＹあるいはステップＳ５５により拡大表示モードが実行されている状態で、上述のステップＳ５３において入力されたユーザによる操作（指示）が拡大率の変更である場合（Ｓ５３−Ｙ）、画像ファイルから読み出された画像データの拡大率（倍率）が圧縮・伸長部１０８により変化される（Ｓ５６）。
【００６７】
これに対して、拡大表示モードが実行され、拡大画像、等倍サムネイル画像、拡大位置表示および倍率が表示されている状態でユーザによる操作（入力指示）が所定時間の間、中断された場合（Ｓ５１−Ｎ）、図４を用いて説明した透過率の異なる複数の縮小表示用画像が、順に表示されることにより、等倍サムネイル（縮小ガイド画面）２２−３０２の透過率が増大される（Ｓ１５１）。
【００６８】
以下、所定時間経過後に、等倍サムネイル画像が消去される（Ｓ１５２）。
【００６９】
このように、本発明においては、拡大表示の切り替えが可能であり、拡大率変更や拡大表示領域の変更といった操作が行われた場合、縮小ガイド画像が表示される。
【００７０】
この場合、拡大表示画像に対する縮小ガイド画像の透過率を徐々に下げて表示していく（つまりだんだん表示されてくる）というような、操作性と視認性とを両立可能なサムネイル（縮小ガイド画面）が表示可能である。
【００７１】
縮小ガイド画面（サムネイル）内には、現在拡大されている領域を示す拡大表示枠２２−３０３が含まれており、拡大率の変更や拡大表示領域の変更に伴って、縮小ガイド画面内の拡大表示枠の大きさと位置が変化される。
【００７２】
また、拡大率変更や拡大表示領域の変更という、操作が完了した（最後の入力指示から所定時間が経過した）場合、縮小ガイド画像を非表示にする（拡大表示モード終了）。
【００７３】
この際、拡大表示画像に対する縮小ガイド画像の透過率が徐々に増加され（つまりだんだん消えていく）という、表示が実行される。
【００７４】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。例えば、記録媒体としてテープ状の媒体を用いるビデオカメラであっても、そのまま摘要可能である。また、主記録媒体が容量の大きなメモリカードであって、付随する記録媒体が任意の外部記録媒体である、主として静止画の撮影（記録）のためのスチルカメラであってもよい。
【図面の簡単な説明】
【００７５】
【図１】この発明の実施の形態が適用可能な動画および静止画ならびに音声等が記録可能なカメラ装置の一例を示す概略図。
【図２】図１に示したカメラ装置の制御系の一例を説明する概略ブロック図。
【図３】図１および図２に示したカメラ装置において、拡大表示モードにおける縮小画像（等倍サムネイル）の表示の一例を説明する概略図。
【図４】図１および図２に示したカメラ装置において、拡大表示モードにおける縮小画像（等倍サムネイル）を表示させるための画像処理部の一例を説明する概略ブロック図。
【図５】拡大表示モードにおいて、縮小ガイド画像を任意のタイミングで消去するための動作の一例を説明するフローチャート。
【符号の説明】
【００７６】
１…電子カメラ装置（カメラ装置）、１１…撮像レンズ、２２…ＬＣＤ（液晶モニタ、画像表示部）、２４…主電源スイッチ、２５…録画ボタン、２６…ジョグダイアル（設定選択部）、２７…決定ボタン（選択決定部）、２８…ズームバー（拡大指示部）、２９…メニューボタン、３１…ＣＣＤセンサ（画像信号生成部）、１０１…アナログ−デジタル変換部（デジタル信号出力部）、１０２…カメラ信号処理回路（画像処理部）、１０３…メモリコントローラ、１０４…画像表示処理部（縮小画像保持部）、１０５…ビデオインタフェースおよびＯＳＤ処理部（信号処理部、画像表示制御部）、１０６…ビデオデコーダ（画像表示制御部）、１０７…液晶パネル駆動回路（画像表示制御部）、１０８…圧縮／伸長部（圧縮画像処理部、画像処理部）、１０９…メモリ回路（縮小画像保持部、画像表示制御部）、１１０…バッファ（ワーク）メモリ、１１１…ＣＰＵ（主制御部、信号処理部、画像表示制御部）、１２１…記録メディアコントローラ、１２２…ＨＤＤ（ハードディスク装置、記録媒体）、１２３…メモリカード（半導体メモリ、記録媒体）、１２２…ＨＤＤ（ハードディスク装置、記録媒体）、１２３…メモリカード（半導体メモリ、記録媒体）、１３１…画像表示制御部。
【図１】
2006303896.tif 000003
【図２】
2006303896.tif 000004
【図３】
2006303896.tif 000005
【図４】
2006303896.tif 000006
【図５】
2006303896.tif 000007